(57)【要約】【課題】装置構成を単純なものとしつつ、鮮明な静止画を取得できる放射線撮影装置を提供する。【解決手段】本発明に係るＸ線撮影装置１は、ＦＰＤ４から出力される第１検出データＤＷを基に動画の画像フレームを形成する画像フレーム形成部１２と、第２検出データＤＳを基に静止画を形成する静止画形成部１１とを備え、Ｘ線管３は、高出力のパルスと、低出力のパルスとを出力し、画像フレーム形成部１２は、低出力のパルスにて形成された第１検出データＤＷを基に画像フレームを形成し、静止画形成部１１は、高出力のパルスＤＳにて形成された第２検出データを基に静止画を形成する。この様な構成となっているので、本発明の構成によれば、鮮明な静止画を提供しつつ、被検体のＸ線被曝が極力抑制されたＸ線撮影装置１が提供できる。【選択図】図１
2010172492.tif 000002
【特許請求の範囲】
【請求項１】
放射線パルスを照射する放射線源と、
前記放射線パルスを検出する放射線検出手段と、
前記放射線源を制御する放射線源制御手段と、
前記放射線検出手段から出力される検出データを基に動画の画像フレームを形成する画像フレーム形成手段と、
前記検出データを基に静止画を形成する静止画形成手段とを備え、
前記放射線源制御手段は、前記放射線源に高出力のパルスと、それよりも低出力のパルスとを出力させるように制御し、
前記画像フレーム形成手段は、前記低出力のパルスにて形成された検出データを基に前記画像フレームを形成し、
前記静止画形成手段は、前記高出力のパルスにて形成された検出データを基に静止画を形成することを特徴とする放射線撮影装置。
【請求項２】
請求項１に記載の放射線撮影装置において、
前記静止画の輝度分布を調整する静止画輝度調整手段と、
前記画像フレームと前記静止画輝度調整手段によって調整された前記静止画とを結合して動画を形成する結合手段とを更に備えることを特徴とする放射線撮影装置。
【発明の詳細な説明】
【技術分野】
【０００１】
この発明は、放射線を照射して被検体の放射線透視像を取得する放射線撮影装置に関し、特に、動画を取得する放射線撮影装置に関する。
【背景技術】
【０００２】
被検体に放射線を照射し、被検体を透過した透過放射線をイメージングする放射線撮影装置は、種々の診断に用いられる。この様な放射線撮影装置の中には、放射線パルスを照射することで画像フレームを形成し、時系列的に連続した画像フレームを順次表示することで動画を形成できるものがある。このような放射線撮影装置は、例えば、嚥下検査などに使用される。
【０００３】
従来の放射線撮影装置の構成について説明する。図５に示すように、従来の放射線撮影装置５０は、放射線源５３から放射された放射線ビームを被検体Ｍに照射し、被検体Ｍを透過した透過放射線を、例えば、イメージインテンシファイアで構成される放射線検出器５４で検出する。この放射線検出器５４の出力する可視光線は、ミラーなどの分配手段５５で動画用検出器５６と静止画用検出器５７とに分配される。カメラヘッドなどから構成される動画用検出器５６は、放射線検出器５４から次々と送出される可視光線を基に画像フレームを形成し、時系列的に連続した画像フレームを次々と制御部５９に送出する（例えば、特許文献１参照）。
【０００４】
また、検査中、オペレータが静止画の取得を依頼すると、分配手段５５は、１画像フレーム分に相当する放射線検出器５４の出力をカメラヘッドなどから構成される静止用検出器５７に送出する。静止用検出器５７は、これを受けて静止画を形成し、制御部５９に送出する。
【０００５】
そして、上述の一連の操作で形成された動画、または静止画が表示部５８に表示され、かつ、静止画は、静止画記憶部６０に記憶される。
【０００６】
この様に、従来の放射線撮影装置５０では、動画用検出器５６と、静止用検出器５７とが協働する構成となっている。２つの検出器が必要な理由として、動画と静止画では、検出器に求められる性能が異なることが挙げられる。例えば、動画用検出器５６は、画像フレームレートを向上させるので、読み出しの速さが求められる。その代り、光の検出の感度が犠牲となっている。
【０００７】
一方、静止用検出器５７は光の検出の感度が求められる。その代り、読み出しの速さが犠牲となる。この様に、静止画と動画とを両立するような検出器の開発は難しいので、従来の放射線撮影装置においては、動画用検出器５６と、静止用検出器５７とを備えた構成となっているのである。
【先行技術文献】
【特許文献】
【０００８】
【特許文献１】特開平１０−２５８０４６号公報
【発明の概要】
【発明が解決しようとする課題】
【０００９】
しかしながら、この様な構成を有する従来例には、以下のような問題点がある。
従来の構成によれば、静止画用検出器を備えているとはいえ、これから出力される静止画のコントラストは、さほど鮮明なものとはならない。動画用の放射線ビームを基に静止画が形成されるからである。動画用の放射線撮影には、被検体の被曝量を抑えつつ画像フレームレートを増加させるために、放射線の線量は低く抑えられる。したがって、動画の放射線撮影に用いられる放射線ビームは、静止画を形成するにしては、線量が不足している。静止画用検出器の検出感度は、動画用検出器のそれと比べて、高いものとなっているが、だからといって、放射線の線量の不足を補うほどではない。また、従来の構成によれば、放射線撮影装置が複雑なものになるという問題点がある。従来の放射線撮影装置においては、動画用検出器と、静止画用検出器とを備えているからである。
【００１０】
本発明は、この様な事情に鑑みてなされたものであって、その目的は、装置構成を単純なものとしつつ、鮮明な静止画を取得できる放射線撮影装置を提供することにある。
【課題を解決するための手段】
【００１１】
本発明は、このような目的を達成するために、次のような構成をとる。
すなわち、本発明に係る放射線撮影装置は、放射線パルスを照射する放射線源と、放射線パルスを検出する放射線検出手段と、放射線源を制御する放射線源制御手段と、放射線検出手段から出力される検出データを基に動画の画像フレームを形成する画像フレーム形成手段と、検出データを基に静止画を形成する静止画形成手段とを備え、放射線源制御手段は、放射線源に高出力のパルスと、それよりも低出力のパルスとを出力させるように制御し、画像フレーム形成手段は、低出力のパルスにて形成された検出データを基に画像フレームを形成し、静止画形成手段は、高出力のパルスにて形成された検出データを基に静止画を形成することを特徴とするものである。
【００１２】
［作用・効果］本発明における放射線源は、高出力のパルスと、低出力のパルスを使い分ける。すなわち、動画の画像フレームは、低出力のパルスで形成される。動画を形成するには、ある程度高いフレームレートが必要となるので、被検体の放射線被曝を抑制するには、放射線源から照射される放射線は、低線量であることが望ましい。一方、静止画は、検査後における診断用であるので、高コントラストで鮮明であることが必要となる。したがって、静止画について言えば、放射線源から照射される放射線源は、より高線量であることが望ましい。本発明の構成によれば、放射線源に高出力のパルスと、低出力（低線量）のパルスとを出力させ、静止画は、高出力のパルスにて形成される。したがって、静止画は、十分な線量の放射線源でもって形成されるので、鮮明なものとなっている。
【００１３】
また、請求項２に記載の発明は、請求項１に記載の放射線撮影装置において、請求項１に記載の放射線撮影装置において、静止画の輝度分布を調整する静止画輝度調整手段と、画像フレームと静止画輝度調整手段によって調整された静止画とを結合して動画を形成する結合手段とを更に備えることを特徴とするものである。
【００１４】
［作用・効果］上記構成によれば、高出力のパルスにて形成された第２検出データは、静止画を形成するのに利用されるのみならず、画像フレームにも加工される。つまり、第１検出データと第２検出データの両方が動画の形成に利用される。つまり、放射線源から高出力のパルスが照射により、低出力のパルスの照射が妨げられたとしても、これに起因して動画のフレームレートが低下することがない。したがって、本発明によれば、診断に好適な動画を形成することができる。
【００１５】
なお、本明細書は、次のような放射線撮影装置に関する発明も開示している。
【００１６】
（１）請求項１または請求項２に記載の放射線撮影装置において、前記画像フレームと、前記静止画とを重ね合わせて単一の重合画像を形成する画像処理手段を更に備えることを特徴とする放射線撮影装置。
【００１７】
［作用・効果］（１）で開示した発明によれば、検査の種別に合わせて診断に好適な静止画が取得できる。すなわち、上記構成によれば、画像フレームと、静止画とを単一の重合画像に重ね合わせる。上記構成によれば、たとえば画像フレームと静止画とに対して画像の経時的な平滑化を行うことで、より一層診断に好適な静止画を取得することができる。
【発明の効果】
【００１８】
本発明によれば、放射線パルスにおける放射線出力を切り替えながら静止画用の撮影と動画用の撮影とを行う。したがって、複数個の放射線検出手段を設ける必要がない。また、静止画は、高出力のパルスで形成される。これにより、形成される静止画は、高コントラストで鮮明となる。一方、動画の画像フレームを取得するときには、被検体の放射線被曝が抑制されるように、放射線源から照射される放射線源は、低線量となっている。したがって、本発明によれば、動画と静止画とを取得する放射線撮影装置において、鮮明な静止画を提供しつつ、被検体の放射線被曝を極力抑制することができる。
【図面の簡単な説明】
【００１９】
【図１】実施例１に係る放射線撮影装置の構成を説明する機能ブロック図である。
【図２】実施例１に係る放射線撮影装置の動作を説明するフローチャートである。
【図３】実施例１に係る放射線撮影装置の放射線源制御に関するタイミングチャート図である。
【図４】本発明の１変形例に係る放射線撮影装置の構成を説明する機能ブロック図である。
【図５】従来の放射線撮影装置の構成を説明する機能ブロック図である。
【発明を実施するための形態】
【００２０】
以下、本発明に係る放射線撮影装置の実施例について図面を参照しながら説明する。なお、実施例においては、Ｘ線を用いたＸ線撮影装置について説明する。
【実施例１】
【００２１】
まず、実施例１に係るＸ線撮影装置１の構成について説明する。図１は、実施例１に係る放射線撮影装置の構成を説明する機能ブロック図である。図１に示すように、実施例１に係るＸ線撮影装置１には、被検体Ｍを載置する椅子２と、その椅子２に隣接してパルス状のＸ線ビームを照射するＸ線管３と、被検体を透過したＸ線を検出するフラット・パネル・ディテクタ（ＦＰＤ）４とが設けられている。また、実施例１の構成は、Ｘ線管３の管電圧、管電流、やＸ線ビームのパルス幅を制御するＸ線管制御部６と、これにクロック信号を送出するコンダクタ７とを備えている。そして、Ｘ線撮影装置１は、ＦＰＤ４から出力された検出データを静止画に変換する静止画形成部１１と、ＦＰＤ４から出力された検出データを画像フレームに変換して、動画を形成する画像フレーム形成部１２と、画像フレームを結合して動画を形成する結合部１３と、静止画に輝度調整を施して、これを結合部１３に送出する静止画輝度調整部１４と、静止画に対して種々の画像処理を行う画像処理部１５とを備えている。なお、Ｘ線管は、本発明の放射線源に相当し、ＦＰＤは、本発明の放射線検出手段に相当する。また、Ｘ線管制御部は、本発明の放射線源制御手段に相当し、静止画形成部は、本発明の静止画形成手段に相当する。さらに、画像フレーム形成部は、本発明の動画フレーム形成手段に相当し、結合部は、本発明の結合手段に相当する。そして、静止画輝度調整部は、本発明の静止画輝度調整手段に相当する。
【００２２】
また、Ｘ線撮影装置１は、Ｘ線管制御部６におけるＸ線管３の制御様式を示す制御様式データが格納される制御様式記憶部２１と、オペレータの指示を受け付ける操作部２２と、静止画を記憶する静止画記憶部２３と、静止画、または動画が表示される表示部２４とを備えている。
【００２３】
さらにまた、Ｘ線撮影装置１は、Ｘ線管制御部６，コンダクタ７を統括的に制御する主制御部２５を備えている。この主制御部２５は、ＣＰＵによって構成され、種々のプログラムを実行することにより、Ｘ線管制御部６，コンダクタ７，静止画形成部１１，画像フレーム形成部１２，結合部１３，静止画輝度調整部１４，および画像処理部１５とを実現している。また、上述の各部は、それらを担当する演算装置に分割されて実行されてもよい。
【００２４】
次に、実施例１に係るＸ線撮影装置１の動作について説明する。図２は、実施例１に係る放射線撮影装置の動作を説明するフローチャートである。Ｘ線撮影装置１における診断は、図２に示すように、Ｘ線管３の制御様式を取得する制御様式取得ステップＳ１と、被検体Ｍを椅子２に載置する被検体載置ステップＳ２と、Ｘ線パルスを被検体Ｍに向けて照射するＸ線曝射ステップＳ３と、被検体Ｍの透視像が写りこんだ静止画、動画を取得する静止画、動画取得ステップＳ４と、静止画を記憶する静止画記憶ステップＳ５とを備えている。以降、これらの各ステップについて順を追って説明する。
【００２５】
＜制御様式取得ステップＳ１＞
まず始めに、オペレータは、これから行う検査（例えば、嚥下検査）に最も好適なＸ線管３の制御様式を選択する。このとき、オペレータは、操作部２２におけるメニューのうちからＸ線管３の制御様式に応じた選択ボタンを指定することで、制御様式の指定が行われる。指定された制御様式を示す制御様式データは、制御様式記憶部２１に予め格納されており、この制御様式データがＸ線管制御部６，およびコンダクタ７に送出される。
【００２６】
この制御様式データは、例えば、Ｘ線パルスの周波数、Ｘ線管３の管電圧、管電流が連関したプリセット設定データである。実施例１の構成は、Ｘ線管の制御に特徴がある。すなわち、実施例１におけるＸ線管３の制御は、高出力のパルスと低出力のパルスとを使い分ける構成となっている。具体的には、Ｘ線管３は、所定の間隔でＸ線パルスを被検体に向けて照射するが、例えば、低出力のパルスを連続して３回照射した後、高出力のパルスを１回照射することを繰返す。したがって、上述の制御様式データには、高出力のパルスと低出力のパルスとのそれぞれについて管電圧、管電流が設定されており、さらに制御様式データには、低出力のパルスを連続して３回照射した後、高出力のパルスを１回照射するというような、パルスの使い分け方法を示した使い分けパターンも設定されている。
【００２７】
＜被検体載置ステップＳ２＞
そして、被検体Ｍを椅子２に座らせることで、本検査の関心部位である被検体の咽頭とその周辺部がＸ線管３とＦＰＤ４とによって挟まれる位置に誘導される。
【００２８】
＜Ｘ線曝射ステップＳ３＞
次に、オペレータが、Ｘ線曝射の開始を指示すると、Ｘ線管３からＸ線パルスが次々と被検体Ｍに向けて照射される。ちなみに、このＸ線パルスは、例えば、３３．３ｍｓ毎に照射される。このＸ線パルスの照射について更に詳しく説明する。図３は、実施例１に係る放射線撮影装置の放射線源制御に関するタイミングチャート図である。図３に示すように、Ｘ線管制御部６は、コンダクタ７から送出される二種類の制御信号Ｃ１，Ｃ２の制御に基づいてＸ線管３からＸ線パルスを照射させる。まず、第１制御信号Ｃ１は、Ｘ線パルスを照射するタイミングを意味している。つまり、Ｘ線管３は、この第１制御信号Ｃ１の指示に基づいて、高出力のパルス、または低出力のパルスのいずれかを照射することになる。そして、第２制御信号Ｃ２は、Ｘ線パルスの種別を示している。すなわち、Ｘ線管３は、この第２制御信号Ｃ２の指示に基づいて、高出力のパルス、または低出力のパルスのいずれかを選択することになる。
【００２９】
こうして、Ｘ線管３は、制御信号Ｃ１，Ｃ２が指示した通り、低出力のパルスを連続して３回照射した後、高出力のパルスを１回照射することを繰返す。このときの低出力におけるパルスの幅ｗｐは、例えば８ｍｓであり、高出力におけるパルスの幅ｓｐは、例えば１６ｍｓとなっている。そして、低出力のパルスを照射したときのＸ線管３の管電力は、高出力のパルスを照射したときのそれよりも、低く抑えられている。これらのことからすると、高出力のパルスにおいては、低出力のパルスよりも高線量のＸ線が被検体Ｍに照射されることになる。
【００３０】
Ｘ線管３から照射されたＸ線パルスは、被検体Ｍを透過してＦＰＤ４に到達する。ＦＰＤ４は、このＸ線パルスを受光するたびに、ＦＰＤ４におけるＸ線強度分布を示す検出データを出力する。このとき、コンダクタ７は、制御信号Ｃ１，Ｃ２をＦＰＤ４に対しても送出しているので（図１参照）、ＦＰＤ４が出力した検出データが、いずれの出力のパルスに由来するものなのか弁別できるようになっている。
【００３１】
＜静止画、動画取得ステップＳ４＞
静止画、動画取得ステップＳ４において、上述の検出データは、動画、または静止画に変換される。この様子を詳細に説明する（図１参照）。まず、低出力のパルスに由来する検出データを第１検出データＤＷとする。この第１検出データＤＷは、画像フレーム形成部１２に送出され、画素値で構成される画像フレームに変換される。このとき形成された画像フレームを便宜上、第１画像フレームと呼ぶ。さらに、結合部１３においては、時系列的に隣接する第１画像フレームの各々を結合することにより、動画が形成される。実施例１においては、Ｘ線管３は、３回連続して低出力のパルスをＦＰＤ４に向けて照射するので、３つの時系列的に隣接する第１検出データＤＷを基に、３枚の第１画像フレームで構成される動画が形成される。
【００３２】
一方、高出力のパルスに由来する検出データを第２検出データＤＳとする。この第２検出データＤＳは、静止画形成部１１に送出され、画素値で構成される静止画に変換される。この第２検出データＤＳに写りこんでいる被検体Ｍの透視像は、第１検出データＤＷと比べて、高いコントラストを有している。したがって、静止画形成部１１で形成される静止画は、診断に好適なものとなっている。
【００３３】
また、第２検出データＤＳから形成された静止画は、静止画輝度調整部１４にも送出される。ここで静止画は、輝度調整が施されることによって動画を構成する画像フレームに変換されるのである。このとき形成される画像フレームを便宜上、第２画像フレームと呼ぶ。具体的には、静止画輝度調整部１４は、静止画のゲイン調整を行う。静止画は、高出力のパルスに由来するので、動画を形成する画像フレームと比べて、高露光となっている。したがって、静止画の輝度分布は、上述の第１画像フレームのそれとは、異なったものとなる。そこで、静止画輝度調整部１４は、この輝度分布の差異を均質化する。すなわち、静止画輝度調整部１４は、静止画の有する輝度分布が、第１画像フレームが有する輝度分布と同一となるように静止画のゲインを調整して第２画像フレームを形成する。このゲインの調整は、予め、上述の制御様式記憶部２１に記憶された制御様式データに付属したゲイン調整の様式（強度）を参照して実行される。
【００３４】
結合部１３においては、第１検出データＤＷを基に、３枚の画像フレームで構成される動画が形成されている。結合部１３では、この３枚の第１画像フレームに続けて第２画像フレームを結合して、４枚の画像フレームから構成される動画の形成する。なお、ＦＰＤ４は、第２検出データＤＳを静止画形成部１１に送出した後、３回連続して第１検出データＤＷを画像フレーム形成部１２に送出する。このとき形成される３枚の画像フレームは、順次、上述の４枚の画像フレームから構成される動画に結合される。こうして、結合部１３において形成される動画は、第１画像フレームと、第２画像フレームとが時系列に結合されて形成される。この動画は、順次、表示部２４に表示される。
【００３５】
＜静止画記憶ステップＳ５＞
次に、静止画の画像処理について説明する。実施例１の構成によれば、静止画形成部１１で形成された静止画を静止画記憶部２３に順次記憶する。高出力のパルスは、１．３３ｓごとに被検体Ｍに照射されることからすれば、１．３３ｓ分だけ経時的に離間した静止画が静止画形成部１１から静止画記憶部２３に送出されることになる。
【００３６】
実施例１の構成によれば、静止画に種々の画像処理を施した上で、これを静止画記憶部２３で記憶させることもできる。すなわち、画像処理部１５では、オペレータの指示次第で、第１画像フレームを用いて静止画に対して画像処理を行う。たとえば、合計４枚の第１画像フレームと静止画とに対して画像の経時的な平滑化を行うテンポラルフィルタを用いて重ね合わせて単一の重合画像を形成することもできる。また、第１画像フレーム、および静止画の各々に所定のリカーシブ係数を乗じた後、これを順次重ね合わせて単一の重合画像を形成することもできる。
【００３７】
こうして、オペレータは、表示部２４で表示された動画を視認しながら、嚥下検査を被検体に対して行う。具体的には、造影剤を含んだ検査食を被検体Ｍに嚥下させる。検査中、表示部２４には、動画が写し出されているが、同時に、第２検出データＤＳを基に合成された静止画が静止画記憶部２３に蓄積される。嚥下検査は、１分〜２分程度であるので、検査期間中に取得される静止画は、４５枚〜６８枚となる。この静止画は、嚥下検査終了後に静止画記憶部２３から読み出されて、表示部２４で表示されることができる。こうして、実施例１に係るＸ線撮影装置を用いた検査は終了となる。
【００３８】
以上のように、実施例１の構成によれば、Ｘ線パルスにおけるＸ線の出力を切り替えることで静止画用の撮影と動画用の撮影とを行う。したがって、複数個のＦＰＤ４を設ける必要がない。また、静止画は、高出力のパルスで形成される。静止画は、高コントラストで鮮明となるように、Ｘ線管から照射されるＸ線は、高線量となっている。しかも、動画の画像フレームを取得するときには、被検体ＭのＸ線被曝が抑制されるように、Ｘ線管３から照射されるＸ線は、低線量となっている。したがって、実施例１の構成によれば、鮮明な静止画を提供しつつ、被検体のＸ線被曝が極力抑制されたＸ線撮影装置が提供できる。
【００３９】
また、実施例１の構成によれば、オペレータによる静止画撮影の依頼を受けることなく、検査期間中において静止画が連続的に取得され続ける。つまり、検査期間中に亘って被検体が検査食を嚥下する様子が静止画として保存されている。したがって、オペレータは、検査終了後でも、連写された静止画を検討して診断を行うことができる。
【００４０】
さらに、実施例１の構成は、Ｘ線管３の制御様式を記憶する制御様式記憶部２１を備えている。記憶される制御様式データは、例えば、Ｘ線パルスの周波数、Ｘ線管３の出力別の管電圧や管電流のデータを備えている。また、制御様式データは、高出力のパルスと低出力のパルスとの使い分けパターンに関するデータを有している。そして、制御様式データは、静止画輝度調整部１４で行われるゲイン調整の様式（強度）についてのデータをも含んでいる。この様に、オペレータが単一の制御様式データを選択するだけで、Ｘ線の照射から、画像処理までの一連の動作が自動的に行われる。したがって、実施例１の構成によれば、オペレータの操作負担を軽減したＸ線撮影装置を提供することができる。
【００４１】
本発明は、上記構成に限られることなく、下記のように変形実施することができる。
【００４２】
（１）上述の実施例の構成は静止画のゲイン調整を行う静止画輝度調整部１４を有していたが、この代わりに、オートウィンドウ処理部１６を有していてもよい。図４は、本変形例の構成を説明する機能ブロック図である。このオートウィンドウ処理部１６には、第１検出信号ＤＷに由来する画像フレームＦ，および第２検出信号ＤＳに由来する静止画Ｓが画像フレーム形成部１２，静止画形成部１１の各々から入力される。オートウィンドウ処理部１６では、まず、画像Ｆ，Ｓを構成する画素値のヒストグラムを形成し、このヒストグラムを複数の画像の間で比較して、標準的なヒストグラムを算出する。そして、画像Ｆ，Ｓの各々について、そのヒストグラムが標準的なヒストグラムと一致するように、画像Ｆ，Ｓを構成する画素値の変換を行う。したがって、オートウィンドウ処理部１６を通過した画像フレームＦ，および静止画Ｓは、同様の輝度分布を有している。結合部１３では、画像フレームＦ，および静止画Ｓを結合して動画を形成し、画像処理部１５では、画像フレームＦ，および静止画Ｓを重ね合わせて単一の静止画を形成させることができる。この様な構成とすれば、ゲイン調整の様式（強度）を予め制御様式記憶部２１に記憶させておく必要がないので、構成が単純なＸ線撮影装置が提供できる。
【符号の説明】
【００４３】
３    Ｘ線管（放射線源）
４    ＦＰＤ（放射線検出手段）
６    Ｘ線管制御部（放射線源制御部）
１１  静止画形成部（静止画形成手段）
１２  画像フレーム形成部（動画フレーム形成手段）
１３  結合部（結合手段）
１４  静止画輝度調整部（静止画輝度調整手段）
【図１】
2010172492.tif 000003
【図２】
2010172492.tif 000004
【図３】
2010172492.tif 000005
【図４】
2010172492.tif 000006
【図５】
2010172492.tif 000007